(57)【特許請求の範囲】
【請求項１】
一方向に延びる底部と、該底部の幅方向両端縁に沿って設けられ、少なくとも先端部分が内側方向に傾斜した側壁とで構成されるケーブル収容部を有し、
該ケーブル収容部は、対向する側壁の先端が一定間隔で離隔し、上面が開口した構成となっており、
前記底部及び側壁は、熱可塑性エラストマーからなり、押出成形により一体でかつ長手方向に連続して形成されており、
前記ケーブル収容部内から前記側壁の先端部分に対して０．０４４Ｎ／ｍｍ２の垂直荷重をかけたとき、前記側壁と底部のなす角度の変化量が４５°以下であり、
前記底部の裏面が内側に、前記ケーブル収容部の開口部が外側になるように配置されるケーブルガイド。
【請求項２】
少なくとも前記側壁の傾斜部よりも底部側の部分は、前記底部よりも肉厚に形成されていることを特徴とする請求項１に記載のケーブルガイド。
【請求項３】
側壁全体が前記底部よりも肉厚に形成されていることを特徴とする請求項２に記載のケーブルガイド。
【請求項４】
前記底部の裏面には、前記底部よりも肉厚のリブ部が一体で形成されており、
前記リブ部には一定の間隔をあけて複数の切り欠きが形成されていることを特徴とする請求項２又は３に記載のケーブルガイド。
【請求項５】
前記側壁にはその先端から前記底部に向かって延びる複数の切り込みが形成されており、
前記側壁の切り込みと前記リブ部の切り欠きとが前記底部の長手方向において整合する位置に設けられている請求項４に記載のケーブルガイド。
【請求項６】
前記ケーブル収容部における前記底部と前記側壁との境界部分は曲面又はＣ面で構成されており、その曲率半径Ｒ又はＣ面寸法が３〜１０ｍｍであることを特徴とする請求項２乃至５のいずれか１項に記載のケーブルガイド。
【請求項７】
前記ケーブル収容部における前記底部と前記側壁との境界部分及び前記底部の裏面と前記リブ部の内面との境界部分はいずれも曲面又はＣ面で構成されており、その曲率半径Ｒ又はＣ面寸法が３〜１０ｍｍであることを特徴とする請求項４又は５に記載のケーブルガイド。
【発明の詳細な説明】
【技術分野】
【０００１】
本発明は、ケーブルを収容するケーブルガイドに関する。より詳しくは、ケーブルが接続されている装置の動作に追従して移動し、収容しているケーブルを案内するケーブルガイドに関する。
【背景技術】
【０００２】
ロボットアーム、工作機械、ゲーム機のクレーン及び監視カメラなどでは、装置の動作に追従してケーブル（配線）も移動するが、その際、ケーブルの絡まりや、他の部材との接触による損傷・断線を防止するため、ケーブルガイドが利用されている。
【０００３】
このようにケーブルの保護及び案内を行うケーブルガイドは、一般に、追従性能を確保するために、継ぎ手やピン材などを使用して、複数のユニット（リンクプレート）を連結した構成となっている（例えば、特許文献１，２参照。）。また、従来、断面矩形状の複数の筒状体を、フレキシブルワイヤーで連結した構成のケーブルガイドも提案されている（特許文献４参照）。
【０００４】
一方、側板と上面とを一体成形することで、部品数を減らし、製造コスト低減を図ったケーブルガイドもある（特許文献５参照）。更に、底部、側壁及び蓋部（上面）の全てを、合成樹脂で一体成形したケーブルガイドも提案されている（例えば、特許文献５〜８参照。）。これら特許文献５〜８に記載のケーブルガイドでは、屈曲移動を可能とするために、蓋部や側壁に切り込みが形成されている。
【先行技術文献】
【特許文献】
【０００５】
【特許文献１】特開２００３−８３４７３号公報
【特許文献２】特開２００５−１４７２３３号公報
【特許文献３】特開２００９−２６４５０１号公報
【特許文献４】特開２００３−１０６３８１号公報
【特許文献５】特開２００９−２７３２５０号公報
【特許文献６】特開平１０−２８３１０号公報
【特許文献７】特開２０００−２２７１４５号公報
【特許文献８】特開２００８−２５７７５号公報
【発明の概要】
【発明が解決しようとする課題】
【０００６】
しかしながら、前述した従来の技術には、以下に示す問題点がある。即ち、特許文献１〜３に記載されているような複数のユニットを連結した構成のケーブルガイドは、丈夫で、長さ調整が自在などの利点があるが、その一方で、移動時に接触摩耗による摩擦粉塵や部品同士の接触による騒音が発生しやすいという問題点がある。このため、これらのケーブルガイドは、摩擦粉塵の発生の点からは、例えばクリーンルームなどの清浄な環境下での使用には適さず、また、騒音の点からは、例えば作業環境の悪化を招く。特にこのような構成のケーブルガイドは、部品数及び工程数が多いため、製造コストが高くなるという問題点もある。
【０００７】
また、筒状部材をワイヤーで連結した特許文献４に記載のケーブルガイドは、貫通したフレキシブルワイヤーのみに全ての力がかかり、移動の繰り返しによりワイヤーが破断しやすく、また、筒状部材同士や筒状部材とワイヤー間での接触摩耗が発生しやすいという問題点がある。一方、特許文献５〜８に記載されているように、一部又は全部を合成樹脂で一体形成した場合、製造コストを低減することができ、接触摩耗も発生しにくくなるが、ケーブルの新規配設、追加配設及び取り替えがしにくいという問題点がある。また、特許文献５，８のケーブルガイドは、成形後に、別途組み立て工程が必要となるという問題点もある。
【０００８】
その他、ケーブルガイドからの摩耗粉塵の発生を防止することを目的として、必要本数のケーブルを予め束ねてテープ状とし、ケーブルガイドの使用をなくす提案もされているが、この方法には、幅方向に負荷がかかったときに、ケーブル束が走行する溝などから脱落するという問題点がある。
【０００９】
そこで、本発明は、ケーブルを容易に配設することができ、発塵しにくく、ケーブルの幅方向の負荷に対しても優れたケーブル保持性を有し、かつ低コストで製造可能なケーブルガイドを提供することを主目的とする。
【課題を解決するための手段】
【００１０】
本発明に係るケーブルガイドは、一方向に延びる底部と、該底部の幅方向両端縁に沿って設けられ、少なくとも先端部分が内側方向に傾斜した側壁とで構成されるケーブル収容部を有し、該ケーブル収容部は、対向する側壁の先端が一定間隔で離隔し、上面が開口した構成となっており、前記底部及び側壁は、熱可塑性エラストマーからなり、押出成形により一体でかつ長手方向に連続して形成されており、前記ケーブル収容部内から前記側壁の先端部分に対して０．０４４Ｎ／ｍｍ２の垂直荷重をかけたとき、前記側壁と底部のなす角度の変化量が４５°以下であり、前記底部の裏面が内側に、前記ケーブル収容部の開口部が外側になるように配置されるものである。
本発明においては、対向する側壁の先端が一定間隔で離隔し、上面が開口しているため、ケーブルの出し入れが容易である。また、側壁は、少なくとも先端部分が内側方向に傾斜しているため、ケーブル保持性に優れ、移動時にケーブルが脱落することがない。更に、底部及び側壁が熱可塑性エラストマーで一体形成されているため、移動時の変形に追従可能で、発塵を抑制することもでき、更には押出成形により容易にかつ低コストで製造することが可能である。更にまた、側壁に垂直荷重を付加したときの側壁と底部のなす角度の変化量を４５°以下としているため、水平方向における撓みが少なく、ケーブル保持性に優れている。
このケーブルガイドは、少なくとも前記側壁の傾斜部よりも底部側の部分を、前記底部よりも肉厚に形成することができる。
その場合、側壁全体が前記底部よりも肉厚に形成されていてもよい。
また、前記底部の裏面には、前記底部よりも肉厚のリブ部が、押出成形により前記底部と一体で形成されており、前記リブ部には一定の間隔をあけて複数の切り欠きが形成されていてもよい。
更に、前記側壁にはその先端から前記底部に向かって延びる複数の切り込みが形成されており、前記側壁の切り込みと前記リブ部の切り欠きとが前記底部の長手方向において整合する位置に設けられていてもよい。
本発明のケーブルガイドは、前記ケーブル収容部における前記底部と前記側壁との境界部分を曲面又はＣ面で構成し、その曲率半径Ｒ又はＣ面寸法を３〜１０ｍｍとしてもよい。
又は、前記ケーブル収容部における前記底部と前記側壁との境界部分及び前記底部の裏面と前記リブ部の内面との境界部分の両方を曲面又はＣ面で構成し、その曲率半径Ｒ又はＣ面寸法を３〜１０ｍｍとすることもできる。
ここで、Ｃ面とは、立体を構成する２面の角部に形成される面であり、角部と平行でかつ角部から一定距離に設けられた二辺をつないだ傾斜面をいう。
【発明の効果】
【００１１】
本発明によれば、上面が開口しているためケーブルの出し入れが容易であり、また、底部及び側壁が熱可塑性エラストマーで一体形成されているため、従来品よりも、発塵しにくく、低コストで製造することができ、更には側壁の先端部分に０．０４４Ｎ／ｍｍ２の垂直荷重をかけたとき、側壁と底部のなす角度の変化量が４５°以下であるため、ケーブルの幅方向に負荷がかかった場合においても優れたケーブル保持性能が得られる。
【図面の簡単な説明】
【００１２】
【図１】本発明の第１の実施形態に係るケーブルガイドの構成を示す断面図である。
【図２】図１に示すケーブルガイド１０の使用時の状態を示す側面図である。
【図３】本発明の第１の実施形態の変形例に係るケーブルガイドの構成を示す断面図である。
【図４】本発明の第２の実施形態に係るケーブルガイドの構成を示す断面図である。
【図５】図４に示すケーブルガイド２０の使用時の状態を示す側面図である。
【図６】側壁と底面のなす角度の変化量を測定する方法を示す図である。
【発明を実施するための形態】
【００１３】
以下、本発明を実施するための形態について、添付の図面を参照して、詳細に説明する。なお、本発明は、以下に説明する実施形態に限定されるものではない。
【００１４】
（第１の実施形態）
先ず、本発明の第１の実施形態に係るケーブルガイドについて説明する。図１は本実施形態のケーブルガイドの構成を示す断面図であり、図２はその使用時の状態を示す側面図である。本実施形態のケーブルガイド１０は、ケーブルが一段又は多段で収容されるものであり、図１及び図２に示すように、一方向に延びる底部１の幅方向両端縁に沿って、側壁２が設けられている、そして、この底部１及び側壁２により、ケーブル収容部３が構成されている。
【００１５】
また、本実施形態のケーブルガイド１０の側壁２は、上部が内側に向かって傾斜しており、この傾斜部２ａにより、ケーブル収容部３内に収容されたケーブルの脱落が防止される。更に、このケーブルガイド１０では、対向する側壁２の先端が一定間隔で離隔しており、ケーブル収容部３は上面が開口した構成となっている。これにより、この開口部分から、ケーブルを容易に出し入れすることができる。
【００１６】
一方、本実施形態のケーブルガイド１０は、熱可塑性エラストマーにより、底部１及び側壁２が一体で形成されている。その成形方法は、特に限定するものではないが、例えば、押出成形を適用することができる。これにより、長尺のケーブルガイドを連続して成形することができるため、従来品に比べて、製造コストを低減することができる。また、この場合、長尺のケーブルガイド１０を、使用者が任意の長さに切断して使用することも可能である。
【００１７】
また、底部１及び側壁２を形成する熱可塑性エラストマーとしては、例えば熱可塑性ポリエステル系エラストマー（Thermoplastic-Polyester-Elastomer：ＴＰＥＥ）、熱可塑性ポリアミド系エラストマー（Thermoplastic-Polyamid-Elastomer：ＴＰＡＥ）、熱可塑性ポリウレタン系エラストマー（Thermoplastic-Polyurethane-Elastomer：ＴＰＵ）、熱可塑性ポリスチレン系エラストマー（Thermoplastic-Polystyrene-Elastomer：ＴＰＳ）、熱可塑性ポリ塩化ビニル系エラストマー（Thermoplastic-Poly(vinyl chloride)-Elastomer：ＴＰＶＣ）、熱可塑性オレフィン系エラストマー（Thermoplastic-Polyolefine-Elastomer：ＴＰＯ）などが挙げられる。これらの熱可塑性エラストマーを使用することにより、曲げ特性が向上するため、側壁２に切り込みを形成しなくても、屈曲移動が可能となる。これにより、装置の動作に追従して移動する際の撓みや横ぶれを防止することができる。
【００１８】
そして、本実施形態のケーブルガイド１０は、ケーブル収容部３から側壁２の先端部分に対して垂直方向に０．０４４Ｎ／ｍｍ２の荷重をかけたとき、側壁２と底部１のなす角度αの変化量が４５°以下になるように構成されている。これにより、水平方向の撓みを抑制することができるため、ケーブル保持性が向上し、移動及び屈曲を繰り返し行った場合でも、ケーブルの脱落を防止することができる。
【００１９】
ここで規定している側壁２と底部１のなす角度αの変化量は、側壁２の幅が１０ｍｍになるように加工した試料について測定した値である。また、「側壁２の先端部分」とは、例えば図１に示す構成のケーブルガイド１０の場合は、傾斜部２ａが先端部分に相当する。更に、後述するリブ部を有するものについては、そのリブ部を切断して測定を行う。
【００２０】
なお、０．０４４Ｎ／ｍｍ２の垂直荷重に対する側壁２と底部１のなす角度αの変化量が４５°を超えると、ケーブルの幅方向に負荷がかかった際に、側壁２がケーブルの重みに耐えられず、ケーブルガイド１０からケーブルが脱落したり、屈曲部でケーブルが飛び出したりする。
【００２１】
側壁２と底部１のなす角度αの変化量を４５°以下に抑制するための具体的構成としては、例えば、図１に示すように、側壁２の肉厚を、底部１よりも厚くする方法がある。ここで、底部１は、ケーブルガイド１０の全長に亘って連続しているため、その厚さはケーブル保持性能への影響は少ないが、側壁の厚さは、強度に影響し、特に、後述する切り込みが形成されているものではその影響が大きい。
【００２２】
この側壁２と底部１の厚さの差は、特に限定されるものではなく、材質、大きさ及び厚さに応じて適宜設定することができる。例えば、ケーブルガイド１０を、ヤング率が９４．１ＭＰａのポリエステルエラストマーで形成した場合は、側壁２の肉厚を底部１よりも０．１〜２．０ｍｍ厚くすることが好ましく、０．２〜１．５ｍｍ厚くすることがより好ましい。
【００２３】
側壁２と底部１の厚さの差が、０．１ｍｍ未満の場合、角度αの変化量を十分に小さくできないことがある。また、この差が２．０ｍｍを超えると、角度αの変化量は小さくなり、性能面では問題がないが、用途や収容するケーブルの種類によっては、過剰性能となり、コスト面で不利になる場合がある。
【００２４】
更に、本実施形態のケーブルガイド１０は、底部１にバネ鋼又はバネ鋼と同等の特性（剛性や強度）などを有する繊維強化プラスチックからなる板材や線材を、その長手方向に内包させてもよい。これにより、板材及び線材がテンションメンバーとして作用するため、繰り返し曲げ性を更に向上させることができると共に、直線部の撓みも防止することができる。
【００２５】
ここで使用するバネ鋼としては、例えば炭素鋼及びステンレス鋼などが挙げられる。また、繊維強化プラスチックとしては、例えば、炭素繊維強化プラスチック、アラミド繊維強化プラスチック、炭化珪素繊維強化プラスチック、ガラス繊維強化プラスチック及びポリパラフェニレンベンゾビスオキサゾール繊維強化プラスチックなどが挙げられ、特に補強繊維により長手方向に強化したものが好ましい。更に、これらの補強繊維を織物としたもので強化したプラスチックを使用することもできる。
【００２６】
なお、板材又は線材を内包させる位置及び本数は、特に限定されるものではなく、底部１の幅方向中心部分に１本の板材又は線材を配置してもよいが、例えば、２本の板材又は線材を底部の幅方向両端部に配置したり、３本以上の線材又は線材を配置したりすることもできる。
【００２７】
このように底部１に板材又は線材を内包させる場合、板材又は線材と熱可塑性エラストマーとを同時に押出成形して、複合化することが可能である。その際、板材又は線材と底部１を構成する熱可塑性エラストマーとの間に接着性樹脂層を設け、底部１と板材又は線材との密着性を高めてもよいが、逆に、熱可塑性エラストマーと板材又は線材との間に、空間を設けることもできる。
【００２８】
本実施形態のケーブルガイド１０は、底部１の裏面側が内側に、ケーブル収容部３の開口部が外側に、即ち、ケーブルが収容されている側を外側にして配置される。そして、ケーブルが接続されている装置の動作に追従して、その長手方向に直線移動又は屈曲移動し、内部に収容されているケーブルを案内する。
【００２９】
本実施形態のケーブルガイド１０は、対向する側壁２の先端が一定間隔で離隔し、上面が開口しているため、筒状や蓋が設けられている従来品に比べて、ケーブルの出し入れが容易である。このケーブルガイド１０は、側壁２の上部が内側に傾斜しているため、上面が開口していても、ケーブルが脱落することはない。特に、屈曲移動の際は、側壁２全体が内側に傾き、ケーブルを両側から挟み込むため、ケーブルの保持性が向上する。
【００３０】
また、本実施形態のケーブルガイド１０は、底部１及び側壁２が熱可塑性エラストマーで一体形成されているため、部品間の接触摩耗が発生しない。これにより、移動時の発塵が抑制されるため、クリーンルームにおいても好適に使用することができる。また、移動時に擦れが発生しないため、騒音レベルの接触音などは事実上発生せず、騒音による作業環境の悪化などを防止することができる。更に、このケーブルガイド１０は、押出成形により容易に製造することが可能であるため、低コストで製造することが可能である。
【００３１】
更にまた、０．０４４Ｎ／ｍｍ２の垂直荷重に対する側壁２と底部１のなす角度αの変化量を４５°以下としているため、移動時及び屈曲時における水平方向の撓みを低減することができる。これにより、収容されているケーブルを押さえ込む力、即ち、ケーブル保持性が向上するため、移動及び屈曲を繰り返し行っても、ケーブルが脱落することがない。その結果、ケーブル及びケーブルガイド１０をその幅方向に移動させるような使用条件においても、ケーブルの脱落を防止することができる。
【００３２】
（第１の実施形態の変形例）
前述した第１の実施形態では、側壁２に傾斜部２ａが設けられたケーブルガイド１０を例に説明したが、本発明はこれに限定されるものではなく、側壁の先端部が内側に向かって屈曲していてもよい。また、図１に示すケーブルガイド１０では、側壁２の全体を底部１よりも肉厚にしているが、本発明はこれに限定されるものではなく、少なくとも底部１に対して垂直の部分が肉厚になっていればよい。
【００３３】
図３は本発明の第１の実施形態の変形例に係るケーブルガイドの構成を示す断面図である。図３に示すように、本変形例のケーブルガイド１１は、側壁が、底部１に対して垂直に延びる垂直部１２ｂと、内側に向かって屈曲する屈曲部１２ａとで構成されている。このように、側壁の先端を内側に向かって屈曲させることにより、例えば曲げ半径が小さい場合でも、ケーブル収容部１３からのケーブルの脱落を防止することができる。
【００３４】
また、本変形例のケーブルガイド１１では、側壁の垂直部１２ｂのみが底部１よりも肉厚になっており、屈曲部１２ａは底部１と同等の厚さとなっている。このように垂直部１２ｂのみを肉厚にした場合でも、ケーブル収容部１３から側壁の先端部分（屈曲部１２ａ）に対して垂直方向に０．０４４Ｎ／ｍｍ２の荷重をかけたとき、側壁（垂直部１２ａ）と底部１のなす角度の変化量を４５°以下にすることができる。従って、本変形例のケーブルガイド１１においても、優れたケーブル保持性能が得られる。
【００３５】
更に、本変形例のケーブルガイド１１は、各屈曲部１２ａがエラストマーで形成されているため、曲げた際に引っ張られて更に屈曲し、曲げ部でのケーブルの脱落が更に抑制される。このケーブルガイド１１には、複数のケーブル４が一体化されたケーブル束１４が特に好適である。なお、本変形例のケーブルガイドにおける上記以外の構成及び効果は、前述した第１の実施形態と同様である。
【００３６】
また、第１の実施形態ケーブルガイド１０及びその変形例のケーブルガイド１１における傾斜部２ａや屈曲部１２ａは、先端部のみに形成されている必要はなく、例えば、側壁全体が内側に傾斜していてもよく、また、下部が緩やかに内側に傾斜し、上部がそれよりも角度をもって内側に傾斜した構成にすることもできる。この場合は、側壁全体を底部よりも肉厚にしたり、又は、傾斜部若しくは屈曲部よりも底部側の部分を底部よりも肉厚にしたりすればよい。
【００３７】
（第２の実施形態）
次に、本発明の第２の実施形態に係るケーブルガイドについて説明する。図４は本実施形態のケーブルガイドの構成を示す断面図である。また、図５はその使用時の状態を示す側面図である。なお、図４及び図５においては、前述した第１の実施形態のケーブルガイド１０の構成要素と同じものには、同じ符号を付し、その詳細な説明は省略する。
【００３８】
図４及び図５に示すように、本実施形態のケーブルガイド２０は、底部１の裏面側に、底部１よりも肉厚のリブ部６が設けられている。このリブ部６は、ケーブルガイド２０の横ぶれや直線部のたるみを防止するものであり、例えば、ケーブルガイド２０の長手方向に一定の間隔をあけて、Ｖ字状の切り欠き６ａが形成されている。この切り欠き６ａの幅ｄは、曲げ半径に応じて設定することが好ましい。例えば、ケーブルガイド２０の底部１の幅方向中心部における半円周がＬ１、リブ部６の先端部における半円周がＬ２、切り欠き数ｘの場合は、下記数式（１）により求められる値とすることができる。
【００３９】
【数１】
0005405401.tif 000002
【００４０】
このように、リブ部６に、曲げ半径に応じた切り欠き６ａを設けることにより、所望の曲げ半径に屈曲することができる。
【００４１】
また、本実施形態のケーブルガイド２０では、側壁２の先端から底部１に向かって、その高さ方向に延びる切り込み５が、一定間隔で形成されている。この切り込み５を設けることにより、曲げ半径が小さい場合でも、側壁２を構成する熱可塑性エラストマーに過度のストレスを与えずに容易に曲げることができる。
【００４２】
更に、側壁２の切り込み５と、リブ部６の切り欠き６ａとは、底部１の長手方向、即ち、ケーブルガイド２０の長手方向において、整合する位置に設けられていることが望ましい。これにより、屈曲部において側壁２にかかるストレスを小さくすることができる。
【００４３】
そして、本実施形態のケーブルガイド２０では、ケーブル収容部３における底部１と側壁２との境界部分及び底部１の裏面とリブ部６の内面との境界部分が、曲面又はＣ面で構成されており、その曲率半径Ｒ又はＣ面寸法が３〜１０ｍｍとなっている。このように、底部１と側壁２の境界部分をＲ面又はＣ面とすることにより、底部１と側壁２の接触面積が大きくなり、側壁２がより大きな面積で支えられることになるため、側壁２が外側に開きくことによるケーブル保持性の低下を抑制することができる。
【００４４】
また、この境界部分をＲ面又はＣ面で構成すると、境界部分をこのような形状にしていない場合に比べて、ケーブル収容部３内から側壁２の先端部分に対して０．０４４Ｎ／ｍｍ２の垂直荷重をかけたときの側壁２と底部１のなす角度αの変化量を小さくすることができる。更に、この変化量を同等に設計した場合には、側壁２の厚さを薄くすることが可能となるため、使用する樹脂量を減らすことができ、製造コストを低減することができる。
【００４５】
一方、押出成形により長尺のケーブルガイドを製造すると、側壁部分が外側に開いたり、垂直部分が傾いたりする可能性があるが、この部分を曲面又はＣ面で構成することにより、成形時の形状安定性が向上する。また、底面の両端部の厚さが厚くなるため、側壁２に切り込み５を形成したり、リブ部６に切り欠き６ａを形成したりした場合でも、長期間繰り返し屈曲させても破損が生じない優れた耐久性を得ることができる
【００４６】
ただし、この境界部分をＣ面で構成した場合、Ｒ面よりも内部の収容量が小さくなる。このため、収容するケーブルの本数を多くしたい場合などは、Ｃ面よりもＲ面で形成することが望ましい。なお、これら境界部分の曲率半径Ｒ又はＣ面寸法が３ｍｍ未満の場合、前述した効果が十分得られないことがある。また、境界部分の曲率半径Ｒ又はＣ面寸法が１０ｍｍを超えると、ケーブル収容部３の容積が小さくなり、収容できるケーブルの本数が少なくなったり、ケーブルとの接触面積が大きくなって、騒音や発塵が発生しやすくなったりする。
【００４７】
このように、本実施形態のケーブルガイド２０は、底部１よりも肉厚のリブ部６を設けているため、ケーブルガイド２０の横ぶれや撓みが抑制され、ケーブル保持性能が更に向上する。また、底部１と側壁２及びリブ部６との境界部分を、特定の曲率半径Ｒを有する曲面又は特定寸法のＣ面で形成しているため、成形時の形状安定性が向上し、ケーブル保持性にも優れている。なお、本実施形態のケーブルガイド２０における上記以外の構成及び効果は、前述した第１の実施形態と同様である。
【００４８】
また、図４には底部１と側壁２との境界部分、及び底部１とリブ部６との境界部分の両方が曲面で構成されているケーブルガイド２０を示しているが、本発明はこれに限定されるものではなく、少なくともケーブル収容部３側の境界部分が特定の曲率半径Ｒを有する曲面又は特定寸法のＣ面となっていればよい。更に、リブ部６が設けられていない図１に示すケーブルガイド１０や図３に示すケーブルガイド１１の底部１と側壁１との境界部分を、特定の曲率半径Ｒを有する曲面又は特定寸法のＣ面で構成しても、同様の効果が得られる。
【００４９】
なお、図４に示すケーブルガイド２０では、ケーブル４を一段で収容しているが、本発明はこれに限定されるものではなく、ケーブル４を多段で収容することもできる。その場合、ケーブル４の高さに合わせて、側壁２の高さや傾斜角度を設定すればよく、これは図１に示すケーブルガイド１０においても同様である。
【００５０】
また、図４に示すケーブルガイド２０では、底部１の両縁部に沿ってリブ部６を設けているが、本発明はこれに限定されるものではなく、例えば、底部１の幅方向中心部や、底部１の縁部よりも内側にリブ部６を形成してもよい。このように、底部１の内側にもリブ部６を設けることにより、ケーブルガイドの横ぶれを防止することができる。
【実施例】
【００５１】
以下、本発明の実施例及び比較例を挙げて、本発明の効果について具体的に説明する。本実施例においては、図１に示す形状で、側壁の先端部分に０．０４４Ｎ／ｍｍ２の垂直荷重をかけたとき側壁と底部のなす角度の変化量が４５°以下であるケーブルガイド（実施例１〜８）と、側壁と底部のなす角度の変化量が４５°を超えているケーブルガイド（比較例１）を作製し、その性能を評価した。
【００５２】
＜角度αの変化量＞
図６は側壁と底部のなす角度の変化量を測定する方法を示す図である。図６に示すように、側壁３２と底部３１のなす角度αの変化量は、実施例及び比較例の各ケーブルガイドを長手方向に１００ｍｍの長さに切断し、更に、その一方の側壁３２を幅が１０ｍｍになるように加工した試料３０を用いて行った。
【００５３】
そして、先ず、図６に示す試料３０を、水平な場所に設置し、更に、その底部３１の荷重をかけても移動せずかつ邪魔にならない位置に重りを載せた。次に、側壁３２の先端部分３２ａに、デジタルフォースゲージ（日本電産シンポ社製  ＦＧＮ−５０Ｂ）を、接触面に対して垂直に押し当てて、０．０４４Ｎ／ｍｍ２の力を加えた。そして、分度器によりその側壁３２と底部３１のなす角度αの変化量を測定した。
【００５４】
＜騒音＞
騒音の評価は、実施例及び比較例の各ケーブルガイドに直径１０ｍｍのウレタン被覆５連ケーブルを収容し、その状態で屈伸動作及び幅方向への移動動作を行い、その際発生する騒音の状態を確認した。その結果、ほとんど音が聞き取れなかったものを◎、非連続的な発生であり、小音量であったため、あまり気にならなかったものを○、非連続な発生であるが、やや耳障りであったものを△、連続的に音が発生し、耳障りであったものを×とした。
【００５５】
＜移動時のケーブル飛び出し＞
ケーブル飛び出しの評価では、先ず、実施例及び比較例の各ケーブルガイドを長さ１ｍに切断したものに、直径１０ｍｍのウレタン被覆５連ケーブル（１ｋｇ／ｍ）を収容した。そして、その状態で、ケーブルガイドの両端を固定し、横方向に２Ｇの加速度で１００往復させ、ケーブルの飛び出しの有無を確認した。
【００５６】
以上の結果を、下記表１にまとめて示す。
【００５７】
【表１】
0005405401.tif 000003
【００５８】
上記表１に示すように、垂直荷重に対する角度αの変化量が４５°を超えている比較例１のケーブルガイドは、移動時にケーブルの飛び出しが発生したが、この角度αの変化量が４５°以下である実施例１〜８のケーブルガイドでは、飛び出しは発生しなかった。これら実施例１〜８のケーブルガイドの中でも、特に、側壁２との境界部分を、曲面又はＣ面で構成し、その曲率半径Ｒ又はＣ面寸法が３〜１０ｍｍの範囲ないである実施例３〜６のケーブルガイドは、角度αの変化量も少なく、騒音の発生もなかった。
【００５９】
以上の結果から、本発明によれば、従来品に比べて、幅方向の負荷に対するケーブル保持性に優れ、かつ騒音が発生しにくいケーブルガイドを実現できることが確認された。
【符号の説明】
【００６０】
１、３１  底部
２、３２  側壁
２ａ  傾斜部
３、１３  ケーブル収容部
４  ケーブル
５  切り込み
６  リブ部
６ａ  切り欠き
１０、１１、２０  ケーブルガイド
１２ａ  屈曲部
１２ｂ  垂直部
１４  ケーブル束
３０  試料
３２ａ  先端部分
【図１】
0005405401.tif 000004
【図２】
0005405401.tif 000005
【図３】
0005405401.tif 000006
【図４】
0005405401.tif 000007
【図５】
0005405401.tif 000008
【図６】
0005405401.tif 000009